(57)【要約】【課題】ＩＰ電話機等のネットワーク機器の通信品質の検証をより容易に実現することが可能なＩＰ電話交換機及びＩＰ電話システムを提供する。【解決手段】ＩＰ電話交換機１０は、ＩＰ電話機３０Ａ，３０Ｂ，３０ＣからＩＰ電話機３０Ａ，３０Ｂ，３０ＣのＩＰアドレス及びデフォルトゲートウェイのＩＰアドレスが示されたログイン要求メッセージを受信したことに対応して、ＩＰ電話機３０Ａ，３０Ｂ，３０Ｃに対するログイン認証を行うとともに、ＩＰ電話機３０Ａ，３０Ｂ，３０Ｃの認証が成功したことに対応して、ログイン要求メッセージに示されるＩＰ電話機３０Ａ，３０Ｂ，３０ＣのＩＰアドレス及びデフォルトゲートウェイのＩＰアドレスを記憶装置に登録し、さらに記憶装置に登録されたＩＰアドレス及びデフォルトゲートウェイのＩＰアドレスに対して、ｐｉｎｇコマンドによる生存確認を実行する。【選択図】図１
2011003981.tif 000002
【特許請求の範囲】
【請求項１】
ログイン認証済みのＩＰ電話機に対する通話をＳＩＰに従って制御するＩＰ電話交換機であって、
ＩＰ電話機から当該ＩＰ電話機のＩＰアドレス及びデフォルトゲートウェイのＩＰアドレスが示されたログイン要求メッセージを受信したことに対応して、当該ＩＰ電話機に対するログイン認証を行うとともに、前記ＩＰ電話機の認証が成功したことに対応して、前記ログイン要求メッセージに示される前記ＩＰ電話機のＩＰアドレス及びデフォルトゲートウェイのＩＰアドレスを記憶装置に登録する認証処理部と、
前記記憶装置に登録された前記ＩＰアドレス及び前記デフォルトゲートウェイのＩＰアドレスに対して、ｐｉｎｇコマンドによる生存確認を実行する生存確認部と、
を備えることを特徴とするＩＰ電話交換機。
【請求項２】
ＩＰ電話機と、ログイン認証済みのＩＰ電話機に対する通話をＳＩＰに従って制御するＩＰ電話交換機とを備えるＩＰ電話システムであって、
前記ＩＰ電話機は、
自己に割り当てられたＩＰアドレスとデフォルトゲートウェイのＩＰアドレスとを示したログイン要求メッセージを前記ＩＰ電話交換機に対して送信することで、前記ＩＰ電話交換機に対してログイン認証を要求し、
前記ＩＰ電話交換機は、前記ＩＰ電話機から前記ログイン要求メッセージを受信したことに対応して、前記ＩＰ電話機に対するログイン認証を行うとともに、前記ログイン要求メッセージに示される前記ＩＰ電話機のＩＰアドレス及びデフォルトゲートウェイのＩＰアドレスに対して、ｐｉｎｇコマンドによる生存確認を実行する、
ことを特徴とするＩＰ電話システム。
【発明の詳細な説明】
【技術分野】
【０００１】
本発明は、ログイン認証済みのＩＰ電話機に対する通話をＳＩＰに従って制御するＩＰ電話交換機及びＩＰ電話システムに関する。
【背景技術】
【０００２】
近年、企業などの内線電話システムとして、ＩＰネットワークを介してＳＩＰ（Ｓｅｓｓｉｏｎ  Ｉｎｉｔｉａｔｉｏｎ  Ｐｒｏｔｏｃｏｌ）に従った呼制御を行うＩＰ電話システムが普及している。
【０００３】
ところで、ＩＰ電話システムは、他のネットワークシステムと混在して同じＩＰネットワークに接続されることが多い。そのため、例えば、ＩＰ電話システムの動作状態の確認のために、ハブなどの集線装置に監視装置を接続して、集線装置を通過するデータを監視しようとすると、ＩＰ電話システム以外のネットワークシステムに関わるデータまで監視が可能な状態となってしまう。したがって、ＩＰ電話システムの保守業者などによるＩＰ電話システムの動作状態の確認は、セキュリティ上の問題により、好ましくない場合がある。
【０００４】
特許文献１には、自身が生存することを示す生存確認要求信号をＩＰネットワークに接続されたサーバに送信し、生存確認要求信号が送信されてからサーバからの応答信号を受信するまでの応答時間を検出し、検出された応答時間に応じて、音声通信に関するＩＰネットワークの現在の通信品質を推定する音声通信端末が開示されている。
【０００５】
特許文献２には、データの遅延、ジッタ、データロスの少なくとも一つを測定し、その測定結果から通信パケットのエラー率を監視するトラフィックモニタが開示されている。
【０００６】
特許文献１，２に開示されているような技術によれば、ＩＰネットワークに設けられた集線装置に監視端末を接続することなく、ＩＰ電話システムの通信品質などを検証することができる。
【先行技術文献】
【特許文献】
【０００７】
【特許文献１】特開２００６−１５７１６７号公報
【特許文献２】特開２００２−２３２４７５号公報
【発明の概要】
【発明が解決しようとする課題】
【０００８】
しかしながら、特許文献１に開示されたような技術では、音声通信端末がＩＰ電話交換機に対して、生存確認要求信号を送信する必要がある。したがって、ＩＰ電話機などのＩＰ端末以外の生存確認要求信号の送信機能を有していないルータなどのネットワーク機器の通信品質は検証することができない。
【０００９】
また、特許文献１或いは特許文献２に開示されたような技術では、音声通信端末やＩＰアダプタが個別に通信品質などを監視して、その結果が音声通信端末やＩＰアダプタに接続された電話機等の表示部に表示される。したがって、音声通信端末やＩＰアダプタに接続された電話機の利用者はその結果を表示部を介して容易に確認することができる。しかし、ＩＰ電話システムの保守業者などが、音声通信端末やＩＰアダプタに対する通信品質を確認するためには、各音声通信端末等で個別に取得された通信品質に関わるデータを適宜収集しなければならず、必ずしも容易に確認できない。
【００１０】
本発明は、ＩＰ電話機等のネットワーク機器の通信品質の検証をより容易に実現することが可能なＩＰ電話交換機及びＩＰ電話システムを提供することを目的とする。
【課題を解決するための手段】
【００１１】
本発明は、ログイン認証済みのＩＰ電話機に対する通話をＳＩＰに従って制御するＩＰ電話交換機であって、ＩＰ電話機から当該ＩＰ電話機のＩＰアドレス及びデフォルトゲートウェイのＩＰアドレスが示されたログイン要求メッセージを受信したことに対応して、当該ＩＰ電話機に対するログイン認証を行うとともに、前記ＩＰ電話機の認証が成功したことに対応して、前記ログイン要求メッセージに示される前記ＩＰ電話機のＩＰアドレス及びデフォルトゲートウェイのＩＰアドレスを記憶装置に登録する認証処理部と、前記記憶装置に登録された前記ＩＰアドレス及び前記デフォルトゲートウェイのＩＰアドレスに対して、ｐｉｎｇコマンドによる生存確認を実行する生存確認部と、を備えることを特徴とする。
【００１２】
本発明に係るＩＰ電話交換機によれば、ＩＰ電話機からログイン要求時に送信されたログイン要求メッセージに示されるＩＰ電話機のＩＰアドレス及びデフォルトゲートウェイのＩＰアドレスに対して、ｐｉｎｇコマンドによる生存確認が実行されるので、当該ｐｉｎｇコマンドによる生存確認の結果に基づいてＩＰ電話機等のネットワーク機器の通信品質の検証をより容易に実現することができる。
【００１３】
本発明は、ＩＰ電話機と、ログイン認証済みのＩＰ電話機に対する通話をＳＩＰに従って制御するＩＰ電話交換機とを備えるＩＰ電話システムであって、前記ＩＰ電話機は、自己に割り当てられたＩＰアドレスとデフォルトゲートウェイのＩＰアドレスとを示したログイン要求メッセージを前記ＩＰ電話交換機に対して送信することで、前記ＩＰ電話交換機に対してログイン認証を要求し、前記ＩＰ電話交換機は、前記ＩＰ電話機から前記ログイン要求メッセージを受信したことに対応して、前記ＩＰ電話機に対するログイン認証を行うとともに、前記ログイン要求メッセージに示される前記ＩＰ電話機のＩＰアドレス及びデフォルトゲートウェイのＩＰアドレスに対して、ｐｉｎｇコマンドによる生存確認を実行することを特徴とする。
【００１４】
本発明に係るＩＰ電話システムによれば、ＩＰ電話機からログイン要求時に送信されたログイン要求メッセージに示されるＩＰ電話機のＩＰアドレス及びデフォルトゲートウェイのＩＰアドレスに対して、ＩＰ電話交換機においてｐｉｎｇコマンドによる生存確認が実行されるので、当該ｐｉｎｇコマンドによる生存確認の結果に基づいてＩＰ電話機等のネットワーク機器の通信品質の検証をより容易に実現することができる。
【発明の効果】
【００１５】
本発明によれば、ＩＰ電話機からログイン要求時に送信されたログイン要求メッセージに示されるＩＰ電話機のＩＰアドレス及びデフォルトゲートウェイのＩＰアドレスに対して、ＩＰ電話交換機においてｐｉｎｇコマンドによる生存確認が実行されるので、当該ｐｉｎｇコマンドによる生存確認の結果に基づいてＩＰ電話機等のネットワーク機器の通信品質の検証をより容易に実現することができる。
【図面の簡単な説明】
【００１６】
【図１】本発明を実施するための形態に係るＩＰ電話システムの全体構成を示すシステム構成図である。
【図２】本発明を実施するための形態に係るＩＰ電話交換機の内部構成を示すブロック図である。
【図３】ＩＰアドレス記憶部に記憶されるＩＰ電話機からログイン要求時に収集されたＩＰアドレスのテーブルの一例を示す図である。
【図４】ｐｉｎｇ先ＩＰアドレス記憶部に記憶されるｐｉｎｇ先のＩＰアドレスの一覧テーブルの一例を示す図である。
【図５】ｐｉｎｇ結果記憶部に記憶される各ノードに対するｐｉｎｇ結果の一例を示す図である。
【図６】統計結果記憶部に記憶されるノード間のｐｉｎｇ統計データの一例を示す図である。
【図７】本発明を実施するための形態に係るＩＰ電話交換機がＩＰ電話機からログイン要求メッセージを受信した際に実行する認証処理の手順を示すフローチャートである。
【図８】ＩＰ電話機からログイン要求時に送信されるログイン要求メッセージのデータ構造を示す図である。
【発明を実施するための形態】
【００１７】
本発明を実施するための形態（以下、「実施形態」と称す）について、以下図面を用いて説明する。
【００１８】
図１は、本実施形態に係るＩＰ電話システムの全体構成を示すシステム構成図を示す。図１において、ＩＰ電話交換機１０、保守端末２０、ＩＰ電話機３０Ａは、レイヤ２スイッチ（Ｌ２ＳＷ）４０を介してルータ５２に接続され、それぞれルータ５２を介してＩＰ網５０に接続される。また、ＩＰ電話機３０Ｂ，３０Ｃは、レイヤ２スイッチ４２を介してルータ５４に接続され、それぞれルータ５４を介してＩＰ網５０に接続される。ルータ５２とルータ５４とはＩＰ網５０を介して相互に接続される。なお、ＩＰ電話機３０Ａ，３０Ｂ，３０Ｃは、ＳＩＰ（Ｓｅｓｓｉｏｎ  Ｉｎｉｔｉａｔｉｏｎ  Ｐｒｏｔｏｃｏｌ）に従ったＶｏＩＰ通信によるＩＰ電話機能を備えたパーソナルコンピュータ等のＩＰ端末全般を用いることができる。また、保守端末２０は、ＩＰ電話交換機１０を遠隔保守する際に用いられる。
【００１９】
本実施形態に係るＩＰ電話システムでは、ＩＰ電話交換機１０が、ＩＰ電話機３０Ａ，３０Ｂ，３０Ｃ等にｐｉｎｇコマンドに基づくＩＣＭＰエコー要求パケットを一定周期で送信する。さらに、ＩＰ電話交換機１０は、ＩＰ電話機３０Ａ，３０Ｂ，３０Ｃ等からのＩＣＭＰ応答パケットの受信の有無や応答時間等の通信品質に関わるデータを収集し、収集されたデータを統計処理することで、ＩＰ電話機３０Ａ，３０Ｂ，３０Ｃ等の通信品質を監視する。
【００２０】
図２は、ＩＰ電話交換機１０の内部構成を示すブロック図である。図２において、ＣＰＵ１１０は、ＲＯＭ１１２に記憶されたＢＩＯＳプログラムなどの基本的な制御プログラムをＲＡＭ１１４に展開して、バス１９０を介して各部を制御し、通信インタフェース１８０を介して呼制御などを行う。ＣＰＵ１１０は、ＲＯＭ１１２に記憶されたプログラム１４０をＲＡＭ１１４に展開して、必要に応じてデータベース１５０に格納された各種データを参照して、各種機能を実現する。
【００２１】
記憶装置１３０は、プログラム１４０として、認証処理部１４１、ｐｉｎｇ先ＩＰアドレス管理部１４２、生存確認部１４３、統計処理部１４４、及び呼処理部１４５を記憶する。
【００２２】
認証処理部１４１は、ＩＰ電話機３０Ａ，３０Ｂ，３０Ｃからのログイン要求メッセージを受けて、ＩＰ電話機３０Ａ，３０Ｂ，３０Ｃに対する認証処理を実行する。ｐｉｎｇ先ＩＰアドレス管理部１４２は、後述のＩＰアドレス記憶部１５４に記憶されたＩＰアドレスの情報に基づいて、生存確認を行う対象となるＩＰアドレスを特定し、そのＩＰアドレスの一覧テーブルを後述のｐｉｎｇ先ＩＰアドレス記憶部１５６に登録し、さらに定期的に更新する。生存確認部１４３は、後述するように認証処理部１４１における認証処理の際に取得したＩＰアドレスに対してｐｉｎｇコマンドに基づくＩＣＭＰエコー要求パケットを送信し、その応答としてＩＣＭＰ応答パケットを受信することで、検査対象の端末の生存確認を行う。統計処理部１４４は、生存確認部１４３によるｐｉｎｇコマンドに基づく生存確認の結果を統計処理し、検査対象の端末のネットワーク品質に関わる指標データを生成する。呼処理部１４５は、ログイン認証済みのＩＰ電話機に対する発呼や着呼があった際の通話処理を実行する。
【００２３】
また、記憶装置１３０には、データベース１５０として、認証情報記憶部１５２、ＩＰアドレス記憶部１５４、ｐｉｎｇ先ＩＰアドレス記憶部１５６、ｐｉｎｇ結果記憶部１５８、及び統計結果記憶部１６０を記憶する。認証情報記憶部１５２には、ＩＰ電話機の認証を行う際に認証処理部１４１によって参照される情報が登録されており、例えば、認証が許可されるユーザのユーザＩＤ及びパスワードが登録されている。
【００２４】
ＩＰアドレス記憶部１５４には、後述のように、ＩＰ電話機から送信されるログイン要求メッセージに示されるＩＰ電話機のＩＰアドレスやデフォルトゲートウェイとして設定されたＩＰアドレスが図３に示すようなテーブルに登録されている。なお、図３に示すテーブルにおいて、端末番号は、ログイン要求メッセージの受信順に割り当てられる番号を示す。
【００２５】
ｐｉｎｇ先ＩＰアドレス記憶部１５６には、生存確認部１４３によって実行されるｐｉｎｇコマンドに基づく生存確認対象のＩＰアドレスが図４に示すようなＩＰアドレスの一覧テーブルに登録されている。
【００２６】
ｐｉｎｇ結果記憶部１５８には、ｐｉｎｇコマンドに基づく生存確認の結果として、図５に示すように、ｐｉｎｇの送出元及び送出先のＩＰアドレス、ｐｉｎｇ送信時刻、及びｐｉｎｇ応答時間などが登録される。
【００２７】
統計結果記憶部１６０には、ｐｉｎｇコマンドに基づく生存確認の統計処理の結果として、図６に示すようなｐｉｎｇ統計データが記録される。
【００２８】
図７は、ＩＰ電話交換機１０がＩＰ電話機３０Ａ，３０Ｂ，３０Ｃからログイン要求メッセージを受信した際に実行する認証処理の手順を示すフローチャートである。
【００２９】
図８は、ログイン要求メッセージのデータ構造を示す図である。図８に示すように、ログイン要求メッセージは、ヘッダ部２００とデータ部２１０とで構成される。
【００３０】
ヘッダ部２００には、メッセージ番号２０２、メッセージ種別２０４、発行元種別２０６が含まれる。メッセージ番号２０２は、ＩＰ電話機が発行したメッセージ毎に付与される番号に相当する情報であり、同一メッセージが再送された際にメッセージ受信側のＩＰ電話交換機１０が同一メッセージかどうかを判断する際の判断基準となる情報である。メッセージ種別２０４は、メッセージの種別を示す情報であり、例えばメッセージ受信側のＩＰ電話交換機１０が受信したメッセージがログイン要求メッセージかどうかを判断する際の判断基準となる情報である。発行元種別２０６は、メッセージの発行した発行元の種別を示す情報であり、例えばメッセージ受信側のＩＰ電話交換機１０が受信したメッセージの発行元がＩＰ電話機かどうかを判断する際の判断基準となる情報である。
【００３１】
データ部には、内線番号２１２、ＭＡＣアドレス２１４、ＩＰアドレス２１６、デフォルトゲートウェイ２１８が含まれる。内線番号２１２は、メッセージ発行元のＩＰ電話機に割り当てられた内線番号を示す情報である。ＭＡＣアドレス（Ｍｅｄｉａ  Ａｃｃｅｓｓ  Ｃｏｎｔｒｏｌ  ａｄｄｒｅｓｓ）２１４は、メッセージの発行元のＩＰ電話機のハードウェア固有の物理アドレスであり、保守する際の機器の識別等に用いられる情報である。ＩＰアドレス（Ｉｎｔｅｒｎｅｔ  Ｐｒｏｔｏｃｏｌ  ａｄｄｒｅｓｓ）２１６は、メッセージの発行元のＩＰ電話機に割り当てられたＩＰアドレスを示す情報である。デフォルトゲートウェイ２１８は、メッセージの発行元のＩＰ電話機のデフォルトゲートウェイとして設定されているルータのＩＰアドレスを示す情報である。
【００３２】
ここで、図７を参照して、ＩＰ電話交換機１０がＩＰ電話機３０Ａ，３０Ｂ，３０Ｃ（以下、「ＩＰ電話機３０」と総称する）からログイン要求メッセージを受信した際に実行する認証処理の手順について、さらに説明する。
【００３３】
なお、本実施形態では、ＩＰ電話交換機１０は、ログイン認証済みのＩＰ電話機３０に対する通話処理を実行する。したがって、通話を行うＩＰ電話機３０は、事前に、ＩＰ電話交換機１０に対して、ＬＡＮやインターネット等のＩＰ網５０を介して仮想的に接続（レジスト）し、ログイン認証を済ませておく必要がある。そこで、本実施形態では、ＩＰ電話機３０は、ＩＰ網５０に接続された段階で、ＩＰ電話交換機１０に対してログイン要求メッセージを送信することで、ＩＰ電話交換機１０に対してログイン要求を実行する。
【００３４】
図７において、ＩＰ電話交換機１０は、ＩＰ電話機３０からログイン要求メッセージを受信すると（Ｓ１００）、ログイン要求メッセージからＩＰ電話機３０のＩＰアドレスを取得し、そのＩＰアドレスに対して認証情報を要求する。要求に対する応答としてＩＰ電話機３０からユーザＩＤ及びパスワードの提供を受ける。次いで、ＩＰ電話交換機１０は、認証情報記憶部１５２を参照して、提供されたユーザＩＤ及びパスワードが関連付けて認証情報記憶部１５２に登録されているかどうかを判定することで、ＩＰ電話機３０のログイン認証を行う（Ｓ１０２）。
【００３５】
ログイン認証の結果、ログイン認証に成功した場合には（ステップＳ１０４の判定結果が、肯定「Ｙ」）、ログイン要求メッセージから、ログイン端末情報として、ＩＰ電話機３０のＩＰアドレス及びデフォルトゲートウェイをＩＰアドレス記憶部１５４に登録する（Ｓ１０６）。登録後、ＩＰ電話交換機１０は、ＩＰ電話機３０に対してログイン認証に成功したことを示すログイン要求応答（許可）メッセージを送信する（Ｓ１０８）。
【００３６】
一方、ログイン認証の結果、ログイン認証に失敗した場合には（ステップＳ１０４の判定結果が、否定「Ｎ」）、ＩＰ電話交換機１０は、ＩＰ電話機３０に対してログイン認証に失敗したことを示すログイン要求応答（拒否）メッセージを送信する（Ｓ１１０）。
【００３７】
以上の通り、本実施形態では、ＩＰ電話交換機１０は、ＩＰ電話機３０がログイン要求する毎に、ログイン要求メッセージに示されるＩＰ電話機３０のＩＰアドレス及びデフォルトゲートウェイに相当するＩＰアドレスとを取得して、これらＩＰアドレスを関連付けてＩＰアドレス記憶部１５４に登録する。
【００３８】
さらに、ＩＰ電話交換機１０は、上記のように、ログイン認証時にＩＰ電話機３０のＩＰアドレス及びデフォルトゲートウェイの登録を行うとともに、図４に示すようなｐｉｎｇ先のＩＰアドレスが登録された一覧テーブルの生成及び更新を行う。即ち、ＩＰ電話交換機１０は、ｐｉｎｇ先ＩＰアドレス管理部１４２において、定期的にＩＰアドレス記憶部１５４を参照して、ｐｉｎｇ先ＩＰアドレス記憶部１５４に格納された一覧テーブルに登録されていないＩＰアドレスが存在するか否かを検索する。検索の結果、一覧テーブルに登録されていないＩＰアドレスが存在する場合には、ＩＰ電話交換機１０は、新規のｐｉｎｇ先のＩＰアドレスとして管理番号と関連付けて一覧テーブルに登録する。なお、ＩＰ電話交換機１０は、ｐｉｎｇ先ＩＰアドレスの一覧テーブルの生成及び更新を定期的に行ってもよいし、ログイン要求メッセージを受信する毎に行ってもよい。
【００３９】
以上のように、本実施形態では、ＩＰ電話交換機１０は、ＩＰ電話機３０からのログイン要求メッセージに示されるＩＰ電話機３０に割り当てられたＩＰアドレス及びデフォルトゲートウェイを取得し、取得したＩＰアドレス及びデフォルトゲートウェイに基づいてｐｉｎｇ先ＩＰアドレスの一覧テーブルを生成、更新を実行する。
【００４０】
また、ＩＰ電話交換機１０は、生存確認部１４３において、ｐｉｎｇ先ＩＰアドレス記憶部１５６に記憶された一覧テーブルに登録された各ＩＰアドレスに対してｐｉｎｇコマンドに基づく生存確認を管理番号の順に定期的に実行する。
【００４１】
ここで、ｐｉｎｇコマンドに基づく生存確認は、ＩＣＭＰエコー要求パケットの送信（ｐｉｎｇの送出）と、ＩＣＭＰ応答パケットの受信（ｐｉｎｇ応答）により行われる。ＩＣＭＰエコー要求パケットの送信から一定の時間が過ぎてもｐｉｎｇ先の端末からのＩＣＭＰ応答パケットを受信しなかった場合には、パケットロスとして検出される。したがって、ｐｉｎｇコマンドに基づく生存確認の間隔、つまりＩＣＭＰエコー要求パケットの送信間隔は、パケットロスの検知時間よりも長くする必要がある。例えば、パケットロスを検出するのに必要な時間が１０００ｍｓの場合には、ＩＰ電話交換機１０は、ＩＣＭＰエコー要求パケットを送信した後、１０００ｍｓのタイマをセットし、１０００ｍｓが経過してから、次回のＩＣＭＰエコー要求パケットを送信する。なお、タイマの設定は、生存確認の対象端末の数に応じて変更してもよい。
【００４２】
ＩＰ電話交換機１０は、ｐｉｎｇ先ＩＰアドレスの一覧テーブルに登録されたすべてのＩＰアドレスに対する生存確認が完了すると、再度、先頭の管理番号に関連付けられたＩＰアドレスから順次生存確認を実行する。
【００４３】
また、本実施形態では、ｐｉｎｇコマンドに基づく生存確認により、パケットの遅延やロスなどのデータを統計的に集計するため、１つのＩＰアドレスに対するＩＣＭＰエコー要求パケットの送信のタイミング、つまり、一つのノードに対する監視を、一定周期に行う必要がある。例えば、１分に１回、ノードを監視した場合には、ＩＣＭＰエコー要求パケットを送信してから、同一の送信先に対する次回のＩＣＭＰエコー要求パケットを送信するまでの送信間隔を６００００ｍｓ（１分×６０秒×１０００ｍｓ）に設定する。
【００４４】
以上のように、本実施形態では、生存確認部１４３において、ｐｉｎｇ先ＩＰアドレスの一覧テーブルに登録された各ＩＰアドレスに対してｐｉｎｇコマンドに基づく生存確認が行われ、生存確認による結果が、図５に示すようなｐｉｎｇ結果データとして集計される。
【００４５】
すなわち、ＩＰ電話交換機１０は、ｐｉｎｇ送出とｐｉｎｇ応答時間及び遅延やパケットロスに関する情報を収集し、ｐｉｎｇ結果記憶部１５８に登録する。
【００４６】
図５において、ｐｉｎｇ送出番号５０１には、ｐｉｎｇを送出した順番に付与される番号が記録される。ｐｉｎｇ送出元ＩＰアドレス５０２には、ｐｉｎｇを送出しているノードのＩＰアドレス、つまりＩＰ電話交換機１０のＩＰアドレスが記録される。ｐｉｎｇ送出先ＩＰアドレス５０３には、ｐｉｎｇ送出先のノードのＩＰアドレス、つまりＩＰ電話交換機１０の配下にあるＩＰ電話機３０やルータ５２，５４のＩＰアドレスが記録される。ｐｉｎｇ送信時刻５０４には、ｐｉｎｇ送出元ＩＰアドレスからｐｉｎｇ送出先ＩＰアドレスへｐｉｎｇを送出した時刻が記録される。ｐｉｎｇ応答時間（ｍｓ）５０５には、ｐｉｎｇ送信時刻５０４は、ｐｉｎｇ送出元ＩＰアドレスからｐｉｎｇ送出先ＩＰアドレスへｐｉｎｇ（ＩＣＭＰエコー要求パケット）を送出した時刻から、ｐｉｎｇ応答（ＩＣＭＰ応答パケット）を受信するために要した時間が記録される。ｐｉｎｇ応答がない場合、ｐｉｎｇ応答時間（ｍｓ）５０５には、Ｌｏｓｓに相当する「Ｌ」が記録される。
【００４７】
統計処理部１４４は、ｐｉｎｇ結果データを参照して、図６に示すようなｐｉｎｇ統計データを管理する。
【００４８】
図６において、経路番号６０１は、どのノード間の情報かを区別するために付与される番号を示す。なお、ここで、ノードとは、ＩＰ網５０に接続されたＩＰ電話交換機１０、ＩＰ電話機３０、ルータ５２，５４等のことを示す。地点Ａ６０２は、統計情報を採取したノード間のうち、一方のノードのＩＰアドレスを示す。地点Ｂ６０３は、統計情報を採取したノード間のうち、他方のノードのＩＰアドレスを示す。測定開示時刻６０４は、統計情報の採取が開示された時刻、つまりｐｉｎｇの送出が開示された時刻を示す。
【００４９】
ロス率（％）６０５は、ノード間の生存確認において、ロスパケットとして処理されたパケットの割合を示す。例えば、経路番号「０００６」において、ロス率（％）が「７」と記録されているが、このノード間で７％の割合でｐｉｎｇ応答がなかったことを示す。
【００５０】
最大遅延（ｍｓ）６０５は、ノード間で採取されたｐｉｎｇ応答時間のうち、パケットロスの場合を除いて、最も値が大きい時間を示している。平均遅延（ｍｓ）６０６は、ノード間で採取されたｐｉｎｇ応答時間の平均時間を示す。
【００５１】
以上の通り、本実施形態では、ＩＰ電話交換機１０が、ＩＰ電話機３０からログイン要求メッセージを受信したことに対応して、当該ログイン要求メッセージに示されるＩＰ電話機３０に割り当てられたＩＰアドレス及びデフォルトゲートウェイを取得し、取得したＩＰアドレス及びデフォルトゲートウェイのＩＰアドレスに対してｐｉｎｇコマンドに基づく生存確認を実行し、さらにその生存確認の結果に基づいてノード間の遅延等の通信品質に係るデータの統計処理を実行する。
【００５２】
従来は、ＩＰ電話機３０がログイン要求を行う場合、ログイン要求メッセージにはデフォルトゲートウェイのＩＰアドレスは示されていなかった。したがって、ＩＰ電話交換機１０は、デフォルトゲートウェイの情報を保有していないため、ルータを介して接続されたＩＰ電話機３０に対してｐｉｎｇコマンドに基づく生存確認を行うことができなかった。しかし、本実施形態によれば、ＩＰ電話機３０のログイン要求時に当該ＩＰ電話機３０に設定されたデフォルトゲートウェイのＩＰアドレスも通知されるため、ＩＰ電話交換機１０は、別途ＩＰ電話機３０のデフォルトゲートウェイのＩＰアドレスの入力を受けることなく、ルータを介して接続されたＩＰ電話機３０に対するｐｉｎｇコマンドに基づく生存確認を実行することができる。
【００５３】
つまり、本実施形態によれば、例えば、ＩＰ電話システムの保守業者などが、音声通信端末やＩＰアダプタで個別に監視された通信品質を確認するため、各音声通信端末等から個別に通信品質に関わるデータを収集する必要がなく、ＩＰ電話交換機１０において集中的に各端末の通信品質に関わるデータを管理することができる。よって、本実施形態によれば、ＩＰ電話機等のネットワーク機器の通信品質の検証をより容易に実現することができる。
【産業上の利用可能性】
【００５４】
本発明は、ＩＰ電話機からのログイン要求時に取得したＩＰアドレスに対するｐｉｎｇコマンドによる生存確認の結果に基づいてＩＰ電話機等のネットワーク機器の通信品質の検証をより容易に実現することができるので、ログイン認証済みのＩＰ電話機に対する通話をＳＩＰに従って制御するＩＰ電話交換機等に適用することができる。
【符号の説明】
【００５５】
１０    ＩＰ電話交換機
２０    保守端末
３０Ａ，３０Ｂ，３０Ｃ  ＩＰ電話機
４０，４２  スイッチ
５２，５４  ルータ
１３０  記憶装置
１４０  プログラム
１４１  認証処理部
１４２  ｐｉｎｇ先ＩＰアドレス管理部
１４３  生存確認部
１４４  統計処理部
１４５  呼処理部
１５０  データベース
１５２  認証情報記憶部
１５４  ＩＰアドレス記憶部
１５６  ｐｉｎｇ先アドレス記憶部
１５８  ｐｉｎｇ結果記憶部
１６０  統計結果記憶部
１８０  通信インタフェース
１９０  バス
【図１】
2011003981.tif 000003
【図２】
2011003981.tif 000004
【図３】
2011003981.tif 000005
【図４】
2011003981.tif 000006
【図５】
2011003981.tif 000007
【図６】
2011003981.tif 000008
【図７】
2011003981.tif 000009
【図８】
2011003981.tif 000010